(57)【要約】【課題】鋼板床を用いることなく、セットバック部の鉄骨フレームの変形を抑制することのできるセットバック部を有する建築物の施工方法を提供する。【解決手段】セットバック部１１を有する７階〜９階のうち、セットバック構造に起因する変形に影響の小さい範囲の床スラブ１７ｋ〜２０ｋのコンクリートを打設し、しかる後に、セットバック部１１のスラブのコンクリートを打設するようにしたので、セットバックによる水平力を上記床スラブ１７ｋ〜２０ｋのコンクリートを介して、剛なフレームである鉄骨フレーム１０ｍ，１０ｎに伝達させるようにした。【選択図】        図１
2004300842.tif 000002
【特許請求の範囲】
【請求項１】
セットバック部を有する建築物を施工する際に、セットバック部の梁を構成するフレームのうちの、一端がセットバックしているフレームに連結され他端がセットバックしていない部分に連結されるフレームの上記セットバック部に対向する側と、上記セットバック部に直交する、上記建築物の柱とともにラーメン構造を構成するフレームとの間にあるスラブのコンクリートを先行打設した後、残りの部分のスラブにコンクリートを打設するようにしたことを特徴とするセットバック部を有する建築物の施工方法。
【発明の詳細な説明】
【０００１】
【発明の属する技術分野】
本発明はセットバック部を有する建築物を施工する方法に関するものである。
【０００２】
【従来の技術】
建築物を構築する際には、建築物を道路の幅員と建築物の高さにより決められた斜線制限内に納める必要があるため、高層の建築物においては、上階ほど後退して段状をなす、いわゆる、セットバック部（ステップバック部ともいう）を有するものが多く建造されている。
上記セットバック部の構造種別は一般に鉄骨造で、図２（ａ）のモデルに示すように、外周部に柱を設け内部は無柱としたチューブ構造となっている。すなわち、セットバック部１１の梁となる、上記鉄骨フレーム１１ａに直交する鉄骨フレーム１１ｂが、上記建築物１の柱となる鉄骨フレーム１０Ｆとは端部のみで接続されているているので、セットバックしていない部分（以下、本体という）のスラブとセットバック部１１のスラブとをともにコンクリート打設した場合には、図２（ｂ）に示すように、上記セットバックしている鉄骨フレーム１１ａや梁となる鉄骨フレーム１１ｂ，１１ｃが建築物の本体１０側に倒れ込み、上記鉄骨フレーム１１ａ，１１ｂや、上記鉄骨フレーム１１ｂに連結されている本体１０側の柱となる鉄骨フレーム１０Ｆ，１０Ｆも変形してしまうといった現象が生じる。このような現象は、上記鉄骨フレーム１１ｂが、図３（ｂ）に示すように、その奥側（セットバック部１１とは反対側）の本体１０側の梁となる鉄骨フレーム１０ｂと連続していない場合に特に著しい。
そこで、図３（ａ），（ｂ）に示すように、上記鉄骨フレーム１１ｂに直交する梁となる鉄骨フレーム１１ｃ側に同図の斜線で示した鋼板床１２Ｐを敷設し、この鋼板床１２Ｐにより、上記鉄骨フレーム１１ｃと接合されている、柱１０Ｆとともにラーメン構造を構成している鉄骨フレーム１０ｍ，１０ｎに上記倒れ込みにより生じる水平力を伝達し、上記セットバックしている鉄骨フレーム１１ａの倒れ込みや上記鉄骨フレーム１１ｂ及び上記本体１０側の鉄骨フレーム１０Ｆの変形を抑制するようにしていた。
【０００３】
【発明が解決しようとする課題】
しかしながら、上記セットバック部１１では床形状が整形でない場合もあるため、使用する鋼板床１２Ｐの種類も多くなり、加工手間も非常にかかるだけでなく、鋼板床１２Ｐの加工精度の確保や現場での設置精度を確保することが困難であった。更には、セットバック部１１の床寸法が運搬上の限度を超えているため、上記鋼板床１２Ｐを分割して作製し、現場で組み立てる必要があるが、敷地が狭い場合には、分割搬入したものを地組みできなかった。
また、鋼板床１２Ｐを仮設するために、現場溶接量が膨大となり、そのため、天候による工程遅延や、建築物外周部での溶接作業の増加による安全上の問題があるだけでなく、矯正の難しい溶接歪が生じてしまっていた。したがって、上記のような鋼板床１２Ｐによる補強は、工期が長期化するだけでなく、コストが非常に高くなるといった問題点があった。
【０００４】
本発明は、従来の問題点に鑑みてなされたもので、鋼板床を用いることなく、セットバック部の鉄骨フレームの変形を抑制することのできる方法を提供することを目的とする。
【０００５】
【課題を解決するための手段】
本発明者らは、鋭意検討を重ねた結果、セットバック構造に起因する変形に影響の小さい範囲のスラブのコンクリートを先行打設し、このコンクリート強度に上記鋼板床の役割を負担させ、セットバックによる水平力を、上記コンクリート打設されたスラブを介して、上記ラーメン構造を構成している剛なフレームである鉄骨フレーム１０ｍ，１０ｎに伝達させることにより、鋼板床１２Ｐを用いることなくセットバックの倒れ込みによる柱・梁等の鉄骨フレームの変形を抑制することができることを見出し本発明に至ったものである。
すなわち、本発明の請求項１に記載の発明は、上階にセットバック部を有する建築物を施工する方法であって、セットバック部を有する建築物を施工する際に、セットバック構造に起因する変形に影響の小さい範囲のスラブ、すなわち、セットバック部の梁を構成するフレームのうちの、一端がセットバックしているフレームに連結され他端がセットバックしていない部分に連結されるフレームの上記セットバック部に対向する側と、上記セットバック部に直交する、上記建築物の柱とともにラーメン構造を構成するフレームとの間にあるスラブのコンクリートを先行打設した後、残りの部分のスラブにコンクリートを打設するようにしたことを特徴とする。
【０００６】
【発明の実施の形態】
以下、本発明の実施の形態について、図面に基づき説明する。
図１（ａ），（ｂ）は、本実施の形態に係るセットバック部を有する建築物１の施工方法を示す図で、（ａ）図は側面図（断面図）、（ｂ）図は８階１８の平面図である。各図において、１０は建築物１のセットバックしていない部分（以本体という）、１１はセットバックしている鉄骨フレーム１１ａを有するセットバック部で、この建築物１では７階１７〜９階１９までがセットバック部を有する。
本例では、セットバックしている側の梁となる鉄骨フレーム１１ｂとその奥側の梁となる鉄骨フレーム１０ｂとが連続でない場合について説明する。
本例では、上記建築物１を構築する際に、まず、建築物１の柱・梁等の鉄骨フレームを組んだ後、上記本体１０のスラブンクリートの一部、すなわち、１階〜６階までのスラブコンクリート１０ｋと、７階〜９階のうち、セットバック構造に起因する変形に影響の小さい範囲の床スラブ１７ｋ〜２０ｋにコンクリートを打設する。具体的には、８階１８ｋを例にとると、図１（ｂ）の網線で示す、上記鉄骨フレーム１０ｂの奥側（セットバック部１１とは反対側）と、剛なフレームである、ラーメン構造を構成している鉄骨フレーム１０ｍ，１０ｎとの間に位置する床スラブ１７ｋ〜２０ｋのコンクリートを先行打設する。
本例では、図２（ｃ）のモデルに示すように、先行打設された床スラブ１７ｋ〜２０ｋのコンクリートが、セットバック部１１の鉄骨フレーム１１ａがセットバック部１１側から本体１０側に倒れ込もうとする際の水平力を、上記剛なフレームである鉄骨フレーム１０ｍ，１０ｎに伝達し、コンクリート打設時における上記セットバック部１１の倒れ込みによる上記鉄骨フレーム１１ａ，１１ｂ及び上記鉄骨フレーム１０Ｆの変形を抑制する。
その後、７階〜９階の残りののコンクリート打設を行う。これにより、セットバック部１１のコンクリート打設時においても、上記セットバック部１１が本体１０側に倒れ込むことを合理的に、かつ、安全に低減することができる。
【０００７】
このように、本実施の形態では、セットバック部１１を有する７階〜９階のうち、セットバック構造に起因する変形に影響の小さい範囲の床スラブ１７ｋ〜２０ｋのコンクリートを打設し、しかる後に、セットバック部１１のスラブのコンクリートを打設するようにしたので、セットバックによる水平力を上記床スラブ１７ｋ〜２０ｋのコンクリートを介して、剛なフレームである鉄骨フレーム１０ｍ，１０ｎに伝達させることができる。したがって、鋼板床１２Ｐを用いることなく、セットバック部１１の変形を抑制することができる。
また、上記セットバック部１１の変形はコンクリートを打設すると更に大きくなるので、従来の方法では、鋼板床１２Ｐを仮設したまま建築物１のコンクリート打設を行っていたが、本例では、セットバック部１１の構築とコンクリート打設の施工手順を変更するだけで、セットバック部１１の変形を抑制することができる。したがって、鋼板床１２Ｐが不用なだけでなく、鋼板床１２Ｐの溶接作業などもないので、工期を大幅に短縮することができる。
また、現場溶接も大幅に低減されるので、安全性が向上するとともに、溶接歪の発生もないので、建築物１の耐久性を向上させることができる。
【０００８】
【発明の効果】
以上説明したように、本発明によれば、上階にセットバック部を有する建築物を施工する際に、セットバック構造に起因する変形に影響の小さい範囲のスラブ、すなわち、セットバック部の梁を構成する鉄骨フレームのうちの、一端がセットバックしていない部分に連結される鉄骨フレームの上記セットバック部に対向する側と、上記セットバック部に直交する、上記建築物の柱とともにラーメン構造を構成している鉄骨フレームとの間にあるスラブのコンクリートを先行打設した後、残りの部分のスラブにコンクリートを打設するようにしたので、鋼板床を用いることなくセットバックの倒れ込みによる柱・梁等の鉄骨フレームの変形を抑制することができる。したがって、大幅なコストダウンを図ることができるとともに、工期を大幅に短縮することができる。
【図面の簡単な説明】
【図１】本発明の実施の形態に係るセットバック部を有する建築物の施工方法を示す図である。
【図２】セットバック部を有する建築物の変形モデルを示す図である。
【図３】従来の鋼板床を用いたセットバック部を有する建築物の施工方法を示す図である。
【符号の説明】
１  建築物、１０  本体、１０ｋ  本体下階側のスラブコンクリート、
１０Ｆ  柱となる鉄骨フレーム、１０ｂ  本体側の梁となる鉄骨フレーム、
１０ｍ，１０ｎ  建物外周側の鉄骨フレーム、
１１  セットバック部、１１ａ  セットバックしている鉄骨フレーム、
１１ｂ，１１ｃ  セットバック部の梁となる鉄骨フレーム、
１７ｋ〜２０ｋ  本体上階側のスラブコンクリート。
【図１】
2004300842.tif 000003
【図２】
2004300842.tif 000004
【図３】
2004300842.tif 000005